(57)【特許請求の範囲】
【請求項１】
容器の内容量を少量化した少量化容器であって、
内容物を収容する収容部が形成された容器本体と、
前記容器本体の側周壁を容器本体の底部から下方に延設した延設足部と、
を備える少量化容器の製造方法であって、
射出成形用金型を用いて、
前記容器本体となるべき収容部形成部を備えた本体部と、
前記本体部の側周壁より拡径されるとともに、前記本体部の側周壁を、本体部の底部から下方に延設した延設足部と、
を備えたパリソンを成形する射出成形工程と、
ブロー成形金型を用いて、
前記射出成形で得られたパリソンの本体部の口部より空気を吹き込み、前記本体部の側周壁を膨らませて容器本体を形成するブロー成形工程と、
を備えることを特徴とする少量化容器の製造方法。
【発明の詳細な説明】
【技術分野】
【０００１】
本発明は、例えば、点眼容器、点鼻容器、塗布容器などの医薬品容器などの容器において、容器内の収容部に収容される、例えば、液状物質、流動物質、半流動物質、固形体、粉粒体などの固形物などからなる内容物（以下、「内容物」と言う）の内容量を少量化するための少量化容器、および、少量化容器の製造方法に関する。
【背景技術】
【０００２】
従来、例えば、点眼容器、点鼻容器、塗布容器などの医薬品容器において、内容量を少量化したいとの要望がある。
【０００３】
すなわち、病院で処方された医薬品について、医薬品容器の内容量を少量化することにより、短期間で消費しやすくなる。このため、患者が医薬品を使用期限内に使用することができる。
【０００４】
従って、患者に対して、定期的な処方が可能になる。つまり、短期間で医薬品を消費してしまうため、再度、医薬品を処方してもらう必要があり、定期的な診察を必要とする患者に対して、必然的な通院を促す効果がある。
【０００５】
このように医薬品容器の分野において、内容量を少量化したいとの要望が高まっている。
【先行技術文献】
【特許文献】
【０００６】
【特許文献１】特許第２６０７８４２号公報
【発明の概要】
【発明が解決しようとする課題】
【０００７】
しかしながら、このように容器に収容される内容物の内容量を少量化するためには、従来に比較して、容器自体の大きさを小さくすることが考えられる。
【０００８】
しかしながら、例えば、医薬品容器に関しては、薬事法第５０条に規定されるように、医薬品は、その直接の容器又は直接の被包に、一定の事項を記載させなければならない。
【０００９】
このため、医薬品容器自体の大きさが小さいと、表示スペースが狭くなり、このような薬事法第５０条に定められる―定の事項を記載することが困難になる。
【００１０】
なお、特許文献１（特許第２６０７８４２号公報）には、採取容器組立体に関し、患者から少量の血液を採取し、引き続き行われる試験のために血液を安定した状態に維持するのに適した微量採取容器とその容器のためのキャップが開示されている。
【００１１】
この特許文献１の容器には、容器の下方部分にスカート部を設けているが、このスカート部は、キャップの側壁の二重になったスペースに、容器の下方部分に形成したスカート部を挿入した容器を自立させるためのものである。
【００１２】
また、容器の下方部分に形成したスカート部に、別途用意した延長部材を装着して、ラベルを添付するための付加的なスペースを確保するためのものである。
【００１３】
従って、特許文献１の容器は、容器自体の内容量の少量化のためにスカート部を設けるものではなく、内容量自体はそのままで、容器にキャップを装着して自立させるため、また、延長部材を装着するためのものである。
【００１４】
さらに、特許文献１の容器のスカート部は、少量化を確保しつつ、ラベルを添付するスペースを確保するためのものではない。
【００１５】
ところで、このような少量化の要望に対応するための少量化容器の製造方法として、容量を小さくした容器を一次工程で射出成形またはブロー成形し、この一次工程で作製した容器の底部に、二次工程において、別途用意した、はかま形状の延設部分を設ける製造方法（いわゆる「射出組立容器」）が考えられる。
【００１６】
しかしながら、このような少量化容器の製造方法では、一次工程の射出工程またはブロー工程、二次工程の組み立て工程と、複雑で煩雑な工程が必要で、製造コストが高くつくことになる。しかも、二次工程の組み立て工程などにおいて、異物が付着するおそれがあり、品質が低下することになる。
【００１７】
また、前述したような少量化の要望に対応するための少量化容器の製造方法として、射出成形を用いて、少量化容器を製造する方法が考えられる。
図１６は、このような射出成形を用いて製造した射出一体成形容器１００の縦断面図である。
【００１８】
図１６に示したように、射出一体成形容器１００は、有底筒状の内容物を収容する収容部１０２が形成された容器本体１０４を備えており、容器本体１０４の上部には、図示しないキャップなどの蓋部材を脱着自在に装着するための雄ネジ１０６が形成された口部１０８を備えている。
【００１９】
また、この口部１０８の下方の容器本体１０４の側周壁１１０から、外径方向にフランジ１１２が延設され、フランジ１１２の外端から、下方に拡径するように延設したスカート形状の延設足部１１４を備えている。
【００２０】
このように構成される射出一体成形容器１００では、例えば、符号１１６で示した部分をゲート位置とすることによって、射出成形を用いて、少量化容器を製造することができるようになっている。
【００２１】
しかしながら、このように構成される射出一体成形容器１００では、その側壁が、容器本体１０４の側周壁１１０と、延設足部１１４との２重の側壁から構成されているため視認性がなく、容器本体１０４の収容部１０２内に収容された内容物および内容物に含まれる異物の確認が取れない。
【００２２】
従って、このような射出一体成形容器１００では、容器本体１０４の収容部１０２内に収容された内容物の、例えば、種類や残存液量、内容物に含まれる異物などを確認することが困難である。
【００２３】
また、このような構成の射出一体成形容器１００では、点眼容器として使用する場合に、延設足部１１４を指などで摘まんで押しても（いわゆる「スクイズ」しても）、容器本体１０４の収容部１０２に収容された内容物を容器本体１４から押し出す（排出）することが困難である。
【００２４】
さらに、図１６に示したように、射出一体成形容器１００では、容器本体１０４の口径によって収容部１０２の周側壁１１０の径が変化し、収容量が変化する。
例えば、射出一体成形容器１００を、点眼用、点鼻用に使用する場合に、ノズルやポンプの関係で、容器本体１０４の口径の大きさが限定されている。
【００２５】
このため、限定された容器本体１０４の口径の大きさで、限定された使用期間に必要な容量を確保しようとすると、容器本体１０４の胴部の長さが長くなってしまう。
その結果、射出一体成形容器１００の長さが長くなって、射出一体成形容器１００自体が大型化してしまい、取扱い、保管などに不便である。
【００２６】
本発明は、このような現状に鑑み、容器の内容量を少量化できるとともに、容器自体の大きさを小さくすることなく、ラベル、印字などの情報を表示する表示スペース部分を確保でき、しかも自立可能な少量化容器、および、少量化容器の製造方法を提供することを目的とする。
【００２７】
また、本発明の目的は、単一成形機内で行われる射出成形工程とブロー成形工程により、一体成形することによって、二次工程の組み立て工程を省略することができ、複雑で煩雑な工程が不要で、コストを低減することができるとともに、異物が付着するおそれがなく、品質が低下することのない少量化容器、および、少量化容器の製造方法を提供することを目的とする。
【００２８】
また、本発明の目的は、視認性に優れ、容器本体の収容部内に収容された内容物の、例えば、種類や残存液量などの確認、または、内容物に含まれる異物の確認をすることが容易な少量化容器、および、少量化容器の製造方法を提供することを目的とする。
【００２９】
さらに、本発明の目的は、点眼容器として使用する場合に、指などで摘まんで押して（いわゆる「スクイズ」して）、容器本体の収容部に収容された内容物を容器本体から押し出す（排出）することが容易な少量化容器、および、少量化容器の製造方法を提供することを目的とする。
【課題を解決するための手段】
【００３０】
本発明は、前述したような従来技術における課題及び目的を達成するために発明されたものであって、本発明の少量化容器は、
容器の内容量を少量化した少量化容器であって、
内容物を収容する収容部が形成された容器本体と、
前記容器本体の側周壁を容器本体の底部から下方に延設した延設足部と、
前記容器本体の漸次径が小さくなった肩部と、
前記肩部の中央に形成された口部とを備え、
前記容器本体の断面積よりも、口部の断面積が小さく形成されていることを特徴とする。
【００３１】
このように構成することによって、少量化容器の内容量を少量化できるとともに、容器本体の側周壁を容器本体の底部から下方に延設した延設足部を備えているので、容器自体の大きさを小さくすることなく、例えば、ラベル、印字などの情報を表示する表示スペース部分を確保できる。
【００３２】
また、容器本体の側周壁を容器本体の底部から下方に延設した延設足部を備えているので、少量化容器自体も自立可能であり便利である。
【００３３】
さらに、容器本体の側周壁を容器本体の底部から下方に延設した延設足部を備えているので、容器本体の側周壁と、延設足部とは２重に重ならず、容器本体の収容部は、容器本体の側周壁のみで囲まれている。
従って、視認性に優れ、容器本体の収容部内に収容された内容物の、例えば、種類や残存液量、内容物に含まれる異物などを確認することが容易である。
【００３４】
例えば、少量化容器を、点眼用、点鼻用に使用する場合に、ノズルやポンプの関係で、容器本体の口径の大きさが限定されている。
【００３５】
この場合にも、容器本体の断面積よりも、口部の断面積が小さく形成されているので、限定された容器本体の口径の大きさで、限定された使用期間に必要な容量を確保しても、容器本体の胴部の長さが長くなってしまうことがない。
その結果、少量化容器の長さが長くなって、少量化容器自体が大型化することなく、取扱い、保管などに便利である。
【００３６】
また、本発明の少量化容器は、前記少量化容器が、医薬品容器であることを特徴とする。
【００３７】
このように、本願発明の少量化容器を、例えば、点眼容器、点鼻容器、塗布容器などの医薬品容器に用いた場合に、内容量を少量化することができる。
【００３８】
すなわち、病院で処方された医薬品について、医薬品容器の内容量を少量化することにより、短期間で消費しやすくなる。このため、患者が医薬品を使用期限内に使用することができる。
【００３９】
従って、患者に対して、定期的な処方が可能になる。つまり、短期間で医薬品を消費してしまうため、再度、医薬品を処方してもらう必要があり、定期的な診察を必要とする患者に対して、必然的な通院を促す効果がある。
【００４０】
さらに、医薬品容器自体の大きさが従来の容器と変わらないので、表示スペースが確保でき、薬事法第５０条に定められる―定の事項を記載することが可能である。
【００４１】
本発明の少量化容器は、前記延設足部が、容器本体の側周壁全周に形成されていることを特徴とする。
【００４２】
このように構成することによって、延設足部が、容器本体の側周壁全周に形成されているので、少量化容器の構造強度が低下することがなく、しかも、例えば、ラベル、印字などの情報を表示する表示スペース部分を最大限に確保できる。
【００４３】
また、本発明の少量化容器は、前記延設足部が、容器本体の側周壁の一部に形成されていることを特徴とする。
【００４４】
このように構成することによって、延設足部が、容器本体の側周壁の一部に形成されているので、少量化容器を構成する樹脂材料の量を低減することができ、コストも低減できる。
【００４５】
また、延設足部が、容器本体の側周壁の一部に形成されているので、延設足部が形成されていない部分が切欠部となるので、この切欠部で、少量化容器の位置（例えば、正面など）を確認できる。
【００４６】
従って、この切欠部を利用して、内容物を容器本体の収容部に収容する際に、この切欠部をセンサーなどで検出することで、少量化容器の向きなどを調整でき、機械化などが容易になる。
【００４７】
また、本発明の少量化容器は、前記容器本体の底部と、延設足部との間に補強用リブが形成されていることを特徴とする。
【００４８】
このように構成することによって、容器本体の底部と、延設足部との間に補強用リブが形成されているので、補強用リブで少量化容器の構造強度が確保されることになる。また、補強用リブで、少量化容器自体の自立性も向上し便利である。
【００４９】
さらに、補強用リブで、少量化容器の位置（例えば、正面など）を確認できるので、この補強用リブを利用して、内容物を容器本体の収容部に収容する際に、この補強用リブをセンサーなどで検出することで、少量化容器の向きなどを調整でき、機械化などが容易になる。
【００５０】
また、本発明の少量化容器は、前記容器本体の底部が、下方に突設するテーパー形状、または、ドーム形状に形成されていることを特徴とする。
【００５１】
このように構成することによって、下方に突設するテーパー形状、または、ドーム形状に形成された容器本体の底部を、例えば、指などで下方から上方へ押すことによって、このテーパー形状、または、ドーム形状の底部が変形して上方へ移動しやすく、容器本体の収容部に収容された内容物を容器本体から押し出す（排出）するのが容易になり便利である。
【００５２】
また、少量化容器をポンプ容器として使用する場合に、容器本体の底部が下方に突設するテーパー形状、または、ドーム形状に形成されているため、残液対策に優れた少量化容器を提供できる。
【００５３】
また、このように容器本体の底部が下方に突設するテーパー形状、または、ドーム形状に形成されているので、底部が内方に変形しやすい形状をしているため、点眼容器に使用する場合、延設足部を指などで摘まむ（いわゆる「スクイズ」）ことで、容器本体の収容部に収容された内容物を排出する効果に優れる。
【００５４】
また、本発明の少量化容器は、前記容器本体の底部が、上方に突設するテーパー形状、または、ドーム形状に形成されていることを特徴とする。
【００５５】
このように構成することによって、容器本体の底部が、上方に突設するテーパー形状、または、ドーム形状に形成されているので、その分、容器本体の収容部の内容物の内容量を、さらに少量化することができる。
【００５６】
また、このように容器本体の底部が、上方に突設するテーパー形状、または、ドーム形状に形成されているので、底部が内方に変形しやすい形状をしているため、点眼容器に使用する場合、延設足部を指などで摘まむ（いわゆる「スクイズ」）ことで、容器本体の収容部に収容された内容物を排出する効果に優れる。
【００５７】
また、本発明の少量化容器は、前記容器本体の底部が、蛇腹形状に形成されていることを特徴とする。
【００５８】
このように構成することによって、蛇腹形状に形成された底部を、例えば、指などで下方から上方へ押すことによって、この蛇腹形状に形成された底部が変形して上方へ移動しやすく、容器本体の収容部に収容された内容物を容器本体から押し出す（排出）するのが容易になり便利である。
【００５９】
また、底部が内方に変形しやすい形状をしているため、点眼容器に使用する場合、延設足部を指などで摘まむ（いわゆる「スクイズ」）ことで、容器本体の収容部に収容された内容物を排出する効果により優れる。
【００６０】
また、本発明の少量化容器の製造方法は、
容器の内容量を少量化した少量化容器であって、
内容物を収容する収容部が形成された容器本体と、
前記容器本体の側周壁を容器本体の底部から下方に延設した延設足部と、
を備える少量化容器の製造方法であって、
射出成形用金型を用いて、
前記容器本体となるべき収容部形成部を備えた本体部と、
前記本体部の側周壁より拡径されるとともに、前記本体部の側周壁を、本体部の底部から下方に延設した延設足部と、
を備えたパリソンを成形する射出成形工程と、
ブロー成形金型を用いて、
前記射出成形で得られたパリソンの本体部の口部より空気を吹き込み、前記本体部の側周壁を膨らませて容器本体を形成するブロー成形工程と、
を備えることを特徴とする。
【００６１】
このように構成することによって、内容物を収容する収容部が形成された容器本体と、容器本体の側周壁を容器本体の底部から下方に延設した延設足部とを備え、容器の内容量を少量化した一体化された少量化容器を簡単に製造することができ、コストを低減することができる。
【００６２】
また、単一成形機内で行われる射出成形工程とブロー成形工程によって、一体成形するので、二次工程の組み立て工程を省略することができ、複雑で煩雑な工程が不要で、コストを低減することができるとともに、異物が付着するおそれがなく、品質が低下することがない。
【発明の効果】
【００６３】
本発明によれば、少量化容器の内容量を少量化できるとともに、容器本体の側周壁を容器本体の底部から下方に延設した延設足部を備えているので、容器自体の大きさを小さくすることなく、例えば、ラベル、印字などの情報を表示する表示スペース部分を確保できる。
【００６４】
また、容器本体の側周壁を容器本体の底部から下方に延設した延設足部を備えているので、少量化容器自体も自立可能であり便利である。
【００６５】
さらに、容器本体の側周壁を容器本体の底部から下方に延設した延設足部を備えているので、容器本体の側周壁と、延設足部とは２重に重ならず、容器本体の収容部は、容器本体の側周壁のみで囲まれている。
従って、視認性に優れ、容器本体の収容部内に収容された内容物の、例えば、種類や残存液量、内容物に含まれる異物などを確認することが容易である。
【００６６】
例えば、少量化容器を、点眼用、点鼻用に使用する場合に、ノズルやポンプの関係で、容器本体の口径の大きさが限定されている。
【００６７】
この場合にも、容器本体の断面積よりも、口部の断面積が小さく形成されているので、限定された容器本体の口径の大きさで、限定された使用期間に必要な容量を確保しても、容器本体の胴部の長さが長くなってしまうことがない。
その結果、少量化容器の長さが長くなって、少量化容器自体が大型化することなく、取扱い、保管などに便利である。
【００６８】
従って、本願発明の少量化容器を、例えば、点眼容器、点鼻容器、塗布容器などの医薬品容器に用いた場合に、内容量を少量化することができる。
【００６９】
すなわち、病院で処方された医薬品について、医薬品容器の内容量を少量化することにより、短期間で消費しやすくなる。このため、患者が医薬品を使用期限内に使用することができる。
【００７０】
従って、患者に対して、定期的な処方が可能になる。つまり、短期間で医薬品を消費してしまうため、再度、医薬品を処方してもらう必要があり、定期的な診察を必要とする患者に対して、必然的な通院を促す効果がある。
【００７１】
さらに、医薬品容器自体の大きさが従来の容器と変わらないので、表示スペースが確保でき、薬事法第５０条に定められる―定の事項を記載することが可能である。
【００７２】
また、本発明によれば、内容物を収容する収容部が形成された容器本体と、容器本体の側周壁を容器本体の底部から下方に延設した延設足部とを備え、容器の内容量を少量化した一体化された少量化容器を簡単に製造することができ、コストを低減することができる。
【００７３】
また、単一成形機内で行われる射出成形工程とブロー成形工程によって、一体成形するので、二次工程の組み立て工程を省略することができ、複雑で煩雑な工程が不要で、コストを低減することができるとともに、異物が付着するおそれがなく、品質が低下することがない。
【図面の簡単な説明】
【００７４】
【図１】図１（Ａ）は、本発明の少量化容器の正面図、図１（Ｂ）は、図１（Ａ）の少量化容器の側面図、図１（Ｃ）は、図１（Ａ）の少量化容器の上面図である。
【図２】図２（Ａ）は、図１（Ｃ）のＡ−Ａ線での断面図、図２（Ｂ）は、図１（Ｃ）のＢ−Ｂ線での断面図である。
【図３】図３（Ａ）〜図３（Ｂ）は、パリソンを成形する射出成形工程を示す概略図である。
【図４】図４（Ａ）〜図４（Ｂ）は、パリソンを成形する射出成形工程を示す概略図である。
【図５】図５（Ａ）〜図５（Ｂ）は、ブロー成形工程を示す概略図である。
【図６】図６（Ａ）〜図６（Ｂ）は、ブロー成形工程を示す概略図である。
【図７】図７（Ａ）は、本発明の少量化容器の別の実施例を示す図２（Ａ）と同様な断面図、図７（Ｂ）は、本発明の少量化容器の別の実施例を示す図２（Ｂ）と同様な断面図、図７（Ｃ）は、本発明の少量化容器の別の実施例を示す底面図である。
【図８】図８（Ａ）は、本発明の少量化容器の別の実施例を示す図２（Ａ）と同様な断面図、図８（Ｂ）は、本発明の少量化容器の別の実施例を示す図２（Ｂ）と同様な断面図、図８（Ｃ）は、本発明の少量化容器の別の実施例を示す底面図ある。
【図９】図９（Ａ）は、本発明の少量化容器の別の実施例を示す図２（Ａ）と同様な断面図、図９（Ｂ）は、本発明の少量化容器の別の実施例を示す図２（Ｂ）と同様な断面図、図９（Ｃ）は、本発明の少量化容器の別の実施例を示す底面図である。
【図１０】図１０（Ａ）は、本発明の少量化容器の別の実施例を示す図２（Ａ）と同様な断面図、図１０（Ｂ）は、本発明の少量化容器の別の実施例を示す図２（Ｂ）と同様な断面図、図１０（Ｃ）は、本発明の少量化容器の別の実施例を示す底面図である。
【図１１】図１１（Ａ）は、本発明の少量化容器の別の実施例を示す図２（Ａ）と同様な断面図、図１１（Ｂ）は、本発明の少量化容器の別の実施例を示す図２（Ｂ）と同様な断面図、図１１（Ｃ）は、本発明の少量化容器の別の実施例を示す底面図である。
【図１２】図１２（Ａ）は、本発明の少量化容器の別の実施例を示す図２（Ａ）と同様な断面図、図１２（Ｂ）は、本発明の少量化容器の別の実施例を示す図２（Ｂ）と同様な断面図である。
【図１３】図１３（Ａ）は、本発明の少量化容器の別の実施例を示す図２（Ａ）と同様な断面図、図１３（Ｂ）は、本発明の少量化容器の別の実施例を示す図２（Ｂ）と同様な断面図である。
【図１４】図１４（Ａ）は、本発明の少量化容器の別の実施例を示す図２（Ａ）と同様な断面図、図１４（Ｂ）は、本発明の少量化容器の別の実施例を示す図２（Ｂ）と同様な断面図である。
【図１５】図１５（Ａ）は、本発明の少量化容器の別の実施例を示す図２（Ａ）と同様な断面図、図１５（Ｂ）は、本発明の少量化容器の別の実施例を示す図２（Ｂ）と同様な断面図である。
【図１６】図１６は、射出成形を用いて製造した射出一体成形容器１００の縦断面図である。
【発明を実施するための形態】
【００７５】
以下、本発明の実施の形態（実施例）を図面に基づいてより詳細に説明する。
（実施例１）
【００７６】
図１（Ａ）は、本発明の少量化容器の正面図、図１（Ｂ）は、図１（Ａ）の少量化容器の側面図、図１（Ｃ）は、図１（Ａ）の少量化容器の上面図、図２（Ａ）は、図１（Ｃ）のＡ−Ａ線での断面図、図２（Ｂ）は、図１（Ｃ）のＢ−Ｂ線での断面図である。
【００７７】
図１（Ａ）〜図２（Ｂ）において、符号１０は、全体で本発明の少量化容器を示している。
【００７８】
本発明の少量化容器１０は、例えば、点眼容器、点鼻容器、塗布容器などの医薬品容器などの容器において、容器内の収容部に収容される、例えば、液状物質、流動物質、半流動物質、固形体、粉粒体などの固形物などからなる内容物の内容量を少量化するための少量化容器である。
【００７９】
図１（Ａ）〜図２（Ｂ）に示したように、本発明の少量化容器１０は、断面楕円形状の内容物を収容する収容部１２が形成された容器本体１４と、容器本体１４の漸次径が小さくなった肩部１６を備えている。そして、この肩部１６の中央には、図示しないキャップなどの蓋部材を脱着自在に装着するための雄ネジ１８が形成された口部２０を備えている。
【００８０】
なお、この実施例では、口部２０には、雄ネジ１８が形成されているが、雌ネジでもよく、また、例えば、いわゆる「スナップフィット式」の嵌合用の凹凸を設けるようにしてもよい。
【００８１】
また、この実施例では、断面楕円形状の容器本体１４としたが、容器本体１４の形状は何ら限定されるものではなく、例えば、断面円形形状、断面矩形形状、断面多角形形状の容器本体１４とするなど適宜変更可能である。
【００８２】
さらに、図１（Ａ）〜図２（Ｂ）に示したように、容器本体１４の側周壁２２を容器本体１４の底部２４から下方に延設した延設足部２６を備えている。なお、この実施例では、延設足部２６が、容器本体１４の側周壁２２の全周に形成されている。
【００８３】
このように構成することによって、延設足部２６が、容器本体１４の側周壁２２の全周に形成されているので、少量化容器１０の構造強度が低下することがなく、しかも、例えば、ラベル、印字などの情報を表示する表示スペース部分を最大限に確保できる。
【００８４】
また、少量化容器１０の容器本体１４の収容部１２の内容量を少量化できるとともに、容器本体１４の側周壁２２を容器本体１４の底部２４から下方に延設した延設足部２６を備えているので、容器自体の大きさを小さくすることなく、例えば、ラベル、印字などの情報を表示する表示スペース部分を確保できる。
【００８５】
また、容器本体１４の側周壁２２を容器本体１４の底部２４から下方に延設した延設足部２６を備えているので、少量化容器自体も自立可能であり便利である。
【００８６】
さらに、容器本体１４の側周壁２２を容器本体１４の底部２４から下方に延設した延設足部２６を備えているので、容器本体１４の側周壁２２と、延設足部２６とは２重に重ならず、容器本体１４の収容部１２は、容器本体１４の側周壁２２のみで囲まれている。
従って、視認性に優れ、容器本体１４の収容部１２内に収容された内容物の、例えば、種類や残存液量、内容物に含まれる異物などを確認することが容易である。
【００８７】
ところで、例えば、少量化容器１０を、点眼用、点鼻用に使用する場合に、ノズルやポンプの関係で、容器本体１４の口径の大きさが限定されている。
【００８８】
この場合にも、容器本体１４の断面積よりも、口部２０の断面積が小さく形成されているので、限定された容器本体１４の口径の大きさで、限定された使用期間に必要な容量を確保しても、容器本体１４の胴部の長さが長くなってしまうことがない。
その結果、少量化容器１０の長さが長くなって、少量化容器１０自体が大型化することなく、取扱い、保管などに便利である。
【００８９】
従って、本願発明の少量化容器１０を、例えば、点眼容器、点鼻容器、塗布容器などの医薬品容器に用いた場合に、内容量を少量化することができる。
【００９０】
すなわち、病院で処方された医薬品について、医薬品容器の内容量を少量化することにより、短期間で消費しやすくなる。このため、患者が医薬品を使用期限内に使用することができる。
【００９１】
従って、患者に対して、定期的な処方が可能になる。つまり、短期間で医薬品を消費してしまうため、再度、医薬品を処方してもらう必要があり、定期的な診察を必要とする患者に対して、必然的な通院を促す効果がある。
【００９２】
このように構成される本願発明の少量化容器１０を製造する方法について、以下に、図３（Ａ）〜図６（Ｂ）に基づいて説明する。
【００９３】
図３（Ａ）〜図４（Ｂ）は、パリソンを成形する射出成形工程を示す概略図、図５（Ａ）〜図６（Ｂ）は、ブロー成形工程を示す概略図である。
【００９４】
先ず、図３（Ａ）に示したように、射出成形金型３０を準備する。この射出成形金型３０は、左右一対の相互に離接可能に構成された左金型３２と右金型３４とを備えている。また、これらの左金型３２と右金型３４とを型締めした際に形成される凹部３６に、脱着自在に嵌合可能な下金型３８を備えている。
【００９５】
さらに、これらの左金型３２と右金型３４とを型締めした際に、左金型３２と右金型３４との間の上部に形成される凹部３１に、脱着自在に嵌合可能な略円柱形状の突出部４０が形成された上金型４２と、少量化容器１０の口部２０の雄ネジ１８に対応する形状のねじ金型４３とを備えている。
【００９６】
図３（Ａ）に示したように、これらの左金型３２と、右金型３４と、下金型３８と、上金型４２と、ねじ金型４３を型締めする。これによって、後述するように、容器本体１４となるべきパリソン４６の本体部５０に対応する本体部用間隙４４ａと、この本体部用間隙４４ａより拡径されるとともに、下方に延びるように形成された延設足部２６に対応する延設足部用間隙４４ｂとを備えた射出成形用間隙（キャビティー）４４が形成される。
【００９７】
また、図３（Ａ）に示したように、下金型３８には、別途図示しない射出成形機に連結されたゲート３８ａが形成されている。
【００９８】
そして、この状態で、図３（Ｂ）に示したように、下金型３８のゲート３８ａを介して、射出用間隙（キャビティー）４４内に溶融樹脂を注入する。
【００９９】
その後、図４（Ａ）に示したように、左金型３２と、右金型３４と、下金型３８とを相互に離反する方向に移動させる。これにより、図４（Ｂ）に示したように、上金型４２には、パリソン４６が形成される。
【０１００】
すなわち、図４（Ｂ）に示したように、このパリソン４６は、容器本体１４となるべき収容部形成部４８を備えた本体部５０と、この本体部５０の側周壁５２より拡径されるとともに、本体部５０の側周壁５２を、本体部５０の底部５４から下方に延設した、延設足部２６に対応する延設足部５６とを備えている。
【０１０１】
次に、このように形成されたパリソン４６を、図５（Ａ）に示したように、ブロー成形金型６０を用いてブロー成形を行う。
【０１０２】
すなわち、図５（Ａ）に示したように、ブロー成形金型６０は、左右一対の相互に離接可能に構成された左金型６２と、右金型６４と、上金型６６と、少量化容器１０の口部２０の雄ネジ１８に嵌合するねじ金型６７とを備えている。また、これらの左金型６２と右金型６４とを型締めした際に形成される凹部６８に、脱着自在に嵌合可能な下金型７０を備えている。
【０１０３】
また、左金型６２と右金型６４には、図５（Ａ）に示したように、左金型６２と右金型６４とを型締めした際に、容器本体１２に対応するブロー間隙６２ａ、６４ａがそれぞれ形成されている。
【０１０４】
そして、図５（Ｂ）に示したように、このように形成される上金型６６と、左金型６２と、右金型６４と、下金型７０を型締めする。そして、図示しないが、上金型６６には、エアー吹き込み口が開閉可能に形成されており、このエアー吹き込み口を介して、パリソン４６の口部を介して、本体部５０の収容部形成部４８内に、エアーを吹き込んでブロー成形を行う。
【０１０５】
この場合、図５（Ｂ）に示したように、左金型６２と下金型７０とで形成されるブロー間隙６２ａの下方部分６２ｂと、右金型６４と下金型７０とで形成されるブロー間隙６４ａの下方部分６４ｂとで、延設足部２６に対応する延設足部５６を挟持することになる。
これにより、ブロー成形の際に、パリソン４６の射出形状を保持したままで、パリソン４６の本体部５０の側周壁５２を膨らませて容器本体１４を形成することができる。
【０１０６】
これにより、図６（Ａ）に示したように、パリソン４６の本体部５０の側周壁５２を膨らませて容器本体１４を形成する。そして、ブロー成形金型６０から取り出せば、図６（Ｂ）に示したように、図１〜図２に示したような構造の本発明の少量化容器１０が一体的に成形される。
【０１０７】
すなわち、このようにパリソン４６を成形する射出成形工程と、ブロー成形工程とを行うことによって、内容物を収容する収容部１２が形成された容器本体１４と、容器本体１４の側周壁２２を容器本体１４の底部２４から下方に延設した延設足部２６とを備え、容器の内容量を少量化した一体化された少量化容器１０を簡単に製造することができ、コストを低減することができる。
【０１０８】
また、単一成形機内で行われる射出成形工程とブロー成形工程によって、一体成形するので、二次工程の組み立て工程を省略することができ、複雑で煩雑な工程が不要で、コストを低減することができるとともに、異物が付着するおそれがなく、品質が低下することがない。
【０１０９】
なお、この場合、本発明の少量化容器１０の材質としては、射出成形とブロー成形を行うことができる熱可塑性の樹脂であれば、特に限定されるものではなく、本発明の少量化容器１０の使用用途に応じて、適宜選択すれば良い。
（実施例２）
【０１１０】
図７（Ａ）は、本発明の少量化容器の別の実施例を示す図２（Ａ）と同様な断面図、図７（Ｂ）は、本発明の少量化容器の別の実施例を示す図２（Ｂ）と同様な断面図、図７（Ｃ）は、本発明の少量化容器の別の実施例を示す底面図である。
【０１１１】
この実施例の少量化容器１０は、図１〜図６に示した実施例の少量化容器１０と基本的には同様な構成であり、同一の構成部材には、同一の参照番号を付して、その詳細な説明を省略する。
【０１１２】
この実施例の少量化容器１０では、図７（Ａ）〜図７（Ｃ）に示したように、延設足部２６が、容器本体１４の側周壁２２の一部に形成されている。
【０１１３】
すなわち、この実施例では、図７（Ａ）〜図７（Ｃ）に示したように、延設足部２６が、中心角度９０°離間して形成された４つの延設足部２６ａ〜２６ｄから構成されており、これらの延設足部２６ａ〜２６ｄの間に４つの切欠部２８が形成されている。
【０１１４】
このように構成することによって、延設足部２６（２６ａ〜２６ｄ）が、容器本体１４の側周壁２２の一部に形成されているので、少量化容器１０を構成する樹脂材料の量を低減することができ、コストも低減できる。
【０１１５】
また、延設足部２６（２６ａ〜２６ｄ）が、容器本体１４の側周壁２２の一部に形成されているので、延設足部２６（２６ａ〜２６ｄ）が形成されていない部分が切欠部２８となるので、この切欠部２８で、少量化容器１０の位置（例えば、正面など）を確認できる。
【０１１６】
従って、この切欠部２８を利用して、内容物を容器本体１４の収容部１２に収容する際に、この切欠部２８をセンサーなどで検出することで、少量化容器１０の向きなどを調整でき、機械化などが容易になる。
【０１１７】
なお、この実施例の場合、延設足部２６が、４つの延設足部２６ａ〜２６ｄから構成したが、その数、配置位置、寸法（長さ、厚さ）などは、特に限定されるものではなく、適宜変更すれば良い。
（実施例３）
【０１１８】
図８（Ａ）は、本発明の少量化容器の別の実施例を示す図２（Ａ）と同様な断面図、図８（Ｂ）は、本発明の少量化容器の別の実施例を示す図２（Ｂ）と同様な断面図、図８（Ｃ）は、本発明の少量化容器の別の実施例を示す底面図である。
【０１１９】
この実施例の少量化容器１０は、図１〜図６に示した実施例の少量化容器１０と基本的には同様な構成であり、同一の構成部材には、同一の参照番号を付して、その詳細な説明を省略する。
【０１２０】
この実施例の少量化容器１０では、図８（Ａ）〜図８（Ｃ）に示したように、容器本体１４の底部２４と、延設足部２６との間に、補強用リブ７２が形成されている。
【０１２１】
すなわち、この実施例では、図８（Ａ）〜図８（Ｃ）に示したように、補強用リブ７２が、中心角度９０°離間して形成された４つの補強用リブ７２ａ〜７２ｄから形成されている。この補強用リブ７２ａ〜７２ｄは、図８（Ａ）〜図８（Ｂ）に示したように、基端部側（容器本体１４の底部２４側）が幅が広くなった略三角形のトラス形状となって、補強強度が向上されるようになっている。
【０１２２】
このように構成することによって、容器本体１４の底部２４と、延設足部２６との間に補強用リブ７２（７２ａ〜７２ｄ）が形成されているので、補強用リブ７２（７２ａ〜７２ｄ）で少量化容器１０の構造強度が確保されることになる。また、補強用リブ７２（７２ａ〜７２ｄ）で、少量化容器１０自体の自立性も向上し便利である。
【０１２３】
さらに、補強用リブ７２（７２ａ〜７２ｄ）で、少量化容器１０の位置（例えば、正面など）を確認できるので、この補強用リブ７２（７２ａ〜７２ｄ）を利用して、内容物を容器本体１４の収容部１２に収容する際に、この補強用リブ７２（７２ａ〜７２ｄ）をセンサーなどで検出することで、少量化容器１０の向きなどを調整でき、機械化などが容易になる。
【０１２４】
なお、この実施例の場合、補強用リブ７２が、４つの補強用リブ７２ａ〜７２ｄから構成したが、その数、配置位置、寸法（長さ、厚さ）などは、特に限定されるものではなく、適宜変更すれば良い。
【０１２５】
例えば、図９（Ａ）〜図９（Ｃ）に示したように、補強用リブ７２（７２ａ〜７２ｄ）を矩形形状にして、２つの十字に交差する補強用リブ７２ａ〜７２ｂから構成することもできる。また、図１０（Ａ）〜図１０（Ｃ）に示したように、４つの平行に形成された補強用リブ７２ａ〜７２ｄから構成することもできる。
【０１２６】
さらに、図１１（Ａ）〜図１１（Ｃ）に示したように、延設足部２６と同心形状に容器本体１４の底部２４に形成された補強用リブ７２ｅから構成することも可能である。なお、同心形状に容器本体１４の底部２４に形成された補強用リブ７２ｅの数も、特に限定されるものではない。
（実施例４）
【０１２７】
図１２（Ａ）は、本発明の少量化容器の別の実施例を示す図２（Ａ）と同様な断面図、図１２（Ｂ）は、本発明の少量化容器の別の実施例を示す図２（Ｂ）と同様な断面図である。
【０１２８】
この実施例の少量化容器１０は、図１〜図６に示した実施例の少量化容器１０と基本的には同様な構成であり、同一の構成部材には、同一の参照番号を付して、その詳細な説明を省略する。
【０１２９】
この実施例の少量化容器１０では、図１２（Ａ）〜図１２（Ｂ）に示したように、容器本体１４の底部２４が、下方に突設するテーパー形状、または、ドーム形状２４ａに形成されている。
【０１３０】
すなわち、この実施例では、図１２（Ａ）〜図１２（Ｂ）に示したように、容器本体１４の側周壁２２の短手方向の側壁２２ａから、下方中央に向かって突設するテーパー形状、または、ドーム形状２４ａに形成されている。
【０１３１】
このように構成することによって、下方に突設するテーパー形状、または、ドーム形状２４ａに形成された容器本体１４の底部２４を、例えば、指などで下方から上方へ押すことによって、このテーパー形状、または、ドーム形状２４ａの底部２４が変形して上方へ移動しやすく、容器本体１４の収容部１２に収容された内容物を容器本体１４から押し出す（排出）するのが容易になり便利である。
【０１３２】
また、少量化容器１０をポンプ容器として使用する場合に、容器本体１４の底部２４が下方に突設するテーパー形状、または、ドーム形状２４ａに形成されているため、残液対策に優れた少量化容器１０を提供できる。
【０１３３】
なお、図示しないが、容器本体１４の底部２４は、容器本体１４の側周壁２２の長手方向の側壁から、下方中央に向かって突設するテーパー形状、または、ドーム形状に形成されてもよい。
【０１３４】
さらに、図１３（Ａ）〜図１３（Ｂ）に示したように、容器本体１４の側周壁２２の短手方向の側壁２２ａの一方側から、容器本体１４の側周壁２２の他方側の短手方向の側壁２２ａに向かって、下方に突設するように傾斜したテーパー形状、または、ドーム形状２４ｃを形成するようにしても良い。
【０１３５】
このように構成することによって、容器本体１４の側周壁２２の短手方向の側壁２２ａを容器本体１４の底部２４から下方に延設した延設足部２６を備えているので、少量化容器１０自体も自立可能であり便利である。
【０１３６】
なお、図示しないが、容器本体１４の底部２４は、容器本体１４の側周壁２２の長手方向の側壁の一方側から、容器本体１４の側周壁２２の他方側の長手方向の側壁に向かって、下方に突設するように傾斜したテーパー形状、または、ドーム形状に形成されてもよい。
（実施例５）
【０１３７】
図１４（Ａ）は、本発明の少量化容器の別の実施例を示す図２（Ａ）と同様な断面図、図１４（Ｂ）は、本発明の少量化容器の別の実施例を示す図２（Ｂ）と同様な断面図である。
【０１３８】
この実施例の少量化容器１０は、図１〜図６に示した実施例の少量化容器１０と基本的には同様な構成であり、同一の構成部材には、同一の参照番号を付して、その詳細な説明を省略する。
【０１３９】
この実施例の少量化容器１０では、図１４（Ａ）〜図１４（Ｂ）に示したように、容器本体１４の底部２４が、上方に突設するテーパー形状、または、ドーム形状２１ａに形成されている。
【０１４０】
すなわち、この実施例では、図１４（Ａ）〜図１４（Ｂ）に示したように、容器本体１４の側周壁２２の短手方向の側壁２２ａから、上方中央に向かって突設したテーパー形状、または、ドーム形状２１ａに形成されている。
【０１４１】
このように構成することによって、容器本体１４の底部２４が、上方に突設するテーパー形状、または、ドーム形状２１ａに形成されているので、その分、容器本体１４の収容部１２の内容物の内容量を、さらに少量化することができる。
【０１４２】
このように構成することによって、容器本体１４の側周壁２２の短手方向の側壁２２ａを容器本体１４の底部２４から下方に延設した延設足部２６を備えているので、少量化容器１０自体も自立可能であり便利である。
【０１４３】
なお、図示しないが、容器本体１４の底部２４は、容器本体１４の側周壁２２の長手方向の側壁から、上方中央に向かって突設したテーパー形状、または、ドーム形状に形成されてもよい。
（実施例６）
【０１４４】
図１５（Ａ）は、本発明の少量化容器の別の実施例を示す図２（Ａ）と同様な断面図、図１５（Ｂ）は、本発明の少量化容器の別の実施例を示す図２（Ｂ）と同様な断面図である。
【０１４５】
この実施例の少量化容器１０は、図１〜図６に示した実施例の少量化容器１０と基本的には同様な構成であり、同一の構成部材には、同一の参照番号を付して、その詳細な説明を省略する。
【０１４６】
この実施例の少量化容器１０では、図１５（Ａ）〜図１５（Ｂ）に示したように、容器本体１４の底部２４が、容器本体１４の側周壁２２の短手方向の側壁２２ａの一方側から、容器本体１４の側周壁２２の他方側の短手方向の側壁２２ａに向かって、蛇腹形状２３に形成されている。
【０１４７】
このように構成することによって、蛇腹形状２３に形成された底部２４を、例えば、指などで下方から上方へ押すことによって、この蛇腹形状２３に形成された底部２４が変形して上方へ移動しやすく、容器本体１４の収容部１２に収容された内容物を容器本体１４から押し出す（排出）するのが容易になり便利である。
【０１４８】
なお、図示しないが、容器本体１４の側周壁２２の長手方向の側壁２２ｂの一方側から、容器本体１４の側周壁２２の他方側の長手方向の側壁２２ｂに向かって、蛇腹形状２３に形成された底部２４とすることも可能である。
【０１４９】
なお、図１２〜図１５の少量化容器１０では、底部２４が内方に変形しやすい形状をしているため、点眼容器に使用する場合、延設足部２６を指などで摘まむ（いわゆる「スクイズ」）ことで、容器本体１４の収容部１２に収容された内容物を排出する効果により優れる。
【０１５０】
以上、本発明の好ましい実施の態様を説明してきたが、本発明はこれに限定されることはなく、例えば、上記実施例では、点眼容器、点鼻容器、塗布容器などの医薬品容器などの容器において、容器内の収容部に収容される、例えば、液状物質、流動物質、半流動物質、固形体、粉粒体などの固形物などからなる内容物の内容量を少量化するための少量化容器について説明したが、これ以外でも、例えば、食品分野、工業分野など少量化が望まれる少量化容器に適用することができる。
【０１５１】
また、上記実施例では、縦置き型の金型を用いて製造する方法について説明したが、いわゆる「横置き型」の金型を用いて製造することも、また、いわゆる「多数個取り」と呼ばれる金型を用いて、一度に複数の少量化容器１０を得ることもできるなど本発明の目的を逸脱しない範囲で種々の変更が可能である。
【産業上の利用可能性】
【０１５２】
本発明は、例えば、点眼容器、点鼻容器、塗布容器などの医薬品容器などの容器において、容器内の収容部に収容される、例えば、液状物質、流動物質、半流動物質、固形体、粉粒体などの固形物などからなる内容物の内容量を少量化するための少量化容器、および、少量化容器の製造方法に適用することができる。
【符号の説明】
【０１５３】
２６ａ−２６ｄ    延設足部
７２ａ−７２ｄ    補強用リブ
１０    少量化容器
１２    収容部
１２    容器本体
１２    収容部
１４    容器本体
１６    肩部
１８    雄ネジ
２０    口部
２１ａ    テーパー形状、または、ドーム形状
２２    側周壁
２２ａ    側壁
２２ｂ    側壁
２３    蛇腹形状
２４    底部
２４ａ    テーパー形状、または、ドーム形状
２４ｃ    テーパー形状、または、ドーム形状
２６    延設足部
２６ａ−２６ｄ    延設足部
２８    切欠部
３０    射出成形金型
３１    凹部
３２    左金型
３４    右金型
３６    凹部
３８    下金型
３８ａ    ゲート
４０    突出部
４２    上金型
４３    ねじ金型
４４ａ    本体部用間隙
４４ｂ    延設足部用間隙
４６    パリソン
４８    収容部形成部
５０    本体部
５２    側周壁
５４    底部
５６    延設足部
６０    ブロー成形金型
６２    左金型
６４    右金型
６２ａ、６４ａ    ブロー間隙
６２ｂ、６４ｂ    下方部分
６６    上金型
６７    ねじ金型
６８    凹部
７０    下金型
７２    補強用リブ
７２ａ−７２ｄ    補強用リブ
７２ｅ    補強用リブ
１００    射出一体成形容器
１０２    収容部
１０４    容器本体
１０６    雄ネジ
１０８    口部
１１０    側周壁
１１２    フランジ
１１４    延設足部
１１６    ゲート位置
【図１】
0006541336.tif 000002
【図２】
0006541336.tif 000003
【図３】
0006541336.tif 000004
【図４】
0006541336.tif 000005
【図５】
0006541336.tif 000006
【図６】
0006541336.tif 000007
【図７】
0006541336.tif 000008
【図８】
0006541336.tif 000009
【図９】
0006541336.tif 000010
【図１０】
0006541336.tif 000011
【図１１】
0006541336.tif 000012
【図１２】
0006541336.tif 000013
【図１３】
0006541336.tif 000014
【図１４】
0006541336.tif 000015
【図１５】
0006541336.tif 000016
【図１６】
0006541336.tif 000017